(57)【特許請求の範囲】
【請求項１】
物品の収納空間を有する箱形形状の本体の下部に本体から下方に突出するキャスターが設けられ、キャビネットの収納部からの引き出しと収納とが可能とされるとともに、本体上端部に踏み板が開閉自在に設けられた踏み台兼収納庫であって、前記本体の後端部の外側方に第１ガイド部材がキャビネットの収納部に向けて突設されるとともに、キャビネットの収納部の前端部において内側部に第２ガイド部材が内方に突設され、踏み台兼収納庫をキャビネットの収納部から引き出し、収納する際には、第１ガイド部材がキャビネットの収納部の内側部に接触し、かつ第２ガイド部材が本体側部に接触することを特徴とする踏み台兼収納庫。
【請求項２】
前記第１ガイド部材が、前記本体の後端上部の外側方に前記キャビネットの収納部に向けて突設され、前記第２ガイド部材が、前記キャビネットの収納部の前端下部において内側部に内方に突設されていることを特徴とする請求項１に記載の踏み台兼収納庫。
【発明の詳細な説明】
【技術分野】
【０００１】
本発明は、物品を収納してキャビネットの収納部に納めることができるとともに、収納部から引き出して踏み台として使用することもできる踏み台兼収納庫に関する。
【背景技術】
【０００２】
流し台などの厨房装置や洗面化粧台などのキャビネットには、下部に収納部が形成され、この収納部に引き出し自在に収納庫が配設されたものが知られている。収納庫は、物品の収納空間を有する上方に開口した箱形形状の本体を有し、本体下部にキャスターが設けられている。備品などの物品を取り出し、収納する際には、本体前端部を形成する前板の上端に配設された取っ手部を握って収納庫をキャビネットの前方に引き出し、物品の取り出し、収納後には前板を後方に押し、収納庫を押し戻してキャビネット下部の収納部に納める。このような収納庫は、キャビネットの収納量を増大させるものとして有効とされている。
【０００３】
また、収納庫には、本体上端部に踏み板が開閉自在に設けられたものがあり、本体の上端開口を踏み板により覆うことにより、収納庫を踏み台として使用することができ、キャビネットの上部からの物品の取り出し、収納の際に、収納庫の上に乗ることができ、作業を容易にしている。
【０００４】
たとえば、特許文献１には、本体が、スライドレールにより支持され、キャビネットの前方に引き出し可能とされた踏み台兼収納庫が記載されている。
【０００５】
しかしながら、特許文献１に記載されたスライドレールによる本体の支持の場合、踏み台兼収納庫をキャビネットからまっすぐ前方に引き出し、また、まっすぐ後方に押し戻して納めることができる一方で、踏み台兼収納庫をキャビネットの前方に十分に引き出すためには、特許文献１にも記載されているように、スライドレールは、キャビネットに固定される固定レール、固定レールに引き出し可能に取り付けられる中間レールおよび中間レールに引き出し可能に取り付けられ、本体に固定される支持レールなどの一般に複数のレールから構成され、スライドレールの構造が複雑となっている。
【０００６】
このようなスライドレールによる本体の支持に替わるものとして、特許文献２に記載された踏み台兼収納庫が提案されている。特許文献２に記載された踏み台兼収納庫では、本体の背面下部に左右方向に延びる凹所が形成され、凹所の左右両端部にキャスターが、本体背面から後方にわずかに突出するように固着されている。
【０００７】
特許文献２に記載された踏み台兼収納庫は、スライドレールにより本体を支持しないため、その分構造が簡略化されてはいるが、引き出す際に、本体の正面を持ち上げ、背面下がりに傾斜させ、本体底面を床面から離し、キャスターを床面に接触させなければならない。物品が収納された状態での本体の持ち上げは、たとえ正面であっても操作する者には負担であり、また、このことにも起因して、キャビネットからまっすぐに前方に引き出したり、後方に引き出したりすることができず、ガタついたりすることがしばしばあり、安定な操作が望めない。
【特許文献１】特開２００４−２９８４３３号公報
【特許文献２】特開２００７−６３７９４号公報
【発明の開示】
【発明が解決しようとする課題】
【０００８】
本発明は、以上の通りの事情に鑑みてなされたものであり、キャビネットの収納部からのほぼまっすぐな引き出しと収納とを容易に実現し、ガタつきの少ない安定した操作を可能とする、操作性の良好な踏み台兼収納庫を提供することを課題としている。
【課題を解決するための手段】
【０００９】
本発明は、上記の課題を解決するために、物品の収納空間を有する箱形形状の本体の下部に本体から下方に突出するキャスターが設けられ、キャビネットの収納部からの引き出しと収納とが可能とされるとともに、本体上端部に踏み板が開閉自在に設けられた踏み台兼収納庫であって、前記本体の後端部の外側方に第１ガイド部材がキャビネットの収納部に向けて突設されるとともに、キャビネットの収納部の前端部において内側部に第２ガイド部材が内方に突設され、踏み台兼収納庫をキャビネットの収納部から引き出し、収納する際には、第１ガイド部材がキャビネットの収納部の内側部に接触し、かつ第２ガイド部材が本体側部に接触することを特徴としている。
本発明においては、前記第１ガイド部材が、前記本体の後端上部の外側方に前記キャビネットの収納部に向けて突設され、前記第２ガイド部材が、前記キャビネットの収納部の前端下部において内側部に内方に突設されていることが好ましい。
【発明の効果】
【００１０】
本発明によれば、物品の収納空間を有する箱形形状の本体の下部に本体から下方に突出するキャスターが設けられ、キャビネットの収納部からの引き出しと収納とが可能とされるとともに、本体上端部に踏み板が開閉自在に設けられ、本体後端部の外側方に第１ガイド部材がキャビネットの収納部に向けて突設されるとともに、キャビネットの収納部の前端部において内側部に第２ガイド部材が内方に突設され、第１ガイド部材はキャビネットの収納部の内側部に接触可能とされ、第２ガイド部材は本体側部に接触可能とされているので、スライドレールを備えていなくとも、踏み台兼収納庫をキャビネットの収納部から引き出し、収納する際には、第１ガイド部材のキャビネットの収納部の内側部への接触と、第２ガイド部材の本体側部への接触とによって、キャビネットの収納部からほぼまっすぐに前方に引き出し、後方に押し戻すことができ、ガタつきの少ないスムーズな引き出しと収納とが簡略化された構造により容易に実現され、操作性に優れる。前面部を持ち上げることなくそのまま引き出し、押し戻して操作することができる。
【発明を実施するための最良の形態】
【００１１】
図１、図２は、それぞれ、本発明の踏み台兼収納庫の一実施形態をキャビネットとともに示した斜視図、正面図である。
【００１２】
図１および図２に示した踏み台兼収納庫１は、物品の収納空間を有する箱形形状の本体２を備えている。本体２は、表面に化粧が施された前板３、背板４、左右の両側板５および底板６から上方に開口する直方体状の箱に組み上げられ、内部に収納空間が形成されている。本体２の下部には、本体２から下方に突出するキャスター７が前後左右の計４箇所に設けられ、底板６に固定されている。キャスター７は、キャビネット８の底板９および床面１０上を走行可能とされている。本体２の上端部には、上端開口を開閉する踏み板１１が設けられている。踏み板１１は、たとえば、後端縁部においてヒンジを用いて本体２の背板４の上端縁部に接続することができ、この場合、踏み板１１は、ヒンジを回動の中心として上下に回動自在となり、前端側などを持ち上げることにより踏み板１１を開けることができ、本体２の収納空間から物品を取り出し、また、収納することができる。この他、踏み板１１は、裏面コーナー部などにリブを突設してリブを本体２の上端内周部に係合させることにより装着することも可能であり、この場合にも踏み板１１は、本体２の上端開口を開閉することができる。踏み板１１の開閉には様々な方式を採用することができる。
【００１３】
このような踏み台兼収納庫１は、キャビネット８の下部に形成された箱状の収納部１２からの引き出しと収納とが可能とされている。本体２の前板３の上端に取っ手部１３が配設されている。取っ手部１３を握ってそのままキャビネット８の前方に引くことによって踏み台兼収納庫１は、キャビネット８の前方に引き出される。本体２の収納空間からの物品の収納、取り出しは、この引き出した状態において行う。作業終了後には、踏み板１１を閉め、取っ手部１３および前板３を含めた本体２の前面部を後方に押し、踏み台兼収納庫１をそのままキャビネット８の収納部１２に納める。踏み台兼収納庫１の引き出しおよび収納は、キャスター７の転動によってスムーズに行われ、キャビネット８の底板９から床面１０に乗り移って引き出されるとともに、床面１０から底板９に乗り上げてキャビネット８の収納部１２に納められる。
【００１４】
また、踏み台兼収納庫１では、キャビネット８の収納部１２からの引き出し、収納が安定して行われるようにするために、図３にも示したように、第１ガイド部材１００が、本体２の後端部の外側方にキャビネット８の収納部１２に向けて突設されている。具体的には、図４に拡大して示したように、第１ガイド部材１００は、本体２の後端部において左右両側板５の上部に配設されている。第１ガイド部材１００は、キャビネット８の側板２４の内側面に接触可能な、キャビネット８の収納部１２の内方に突出するガイド部１０１と、ガイド部１０１の一側端から下方に延設されたガイド部１０１の厚みより薄い固定部１０２とを備え、固定部１０２においてビス１０３などの固着具により固定されている。第１ガイド部材１００は、断面略Ｌ字形形状を有している。
【００１５】
また、図３に示したように、キャビネット８の収納部１２には、前端部において内側部に第２ガイド部材２００が内方に突設されている。具体的には、図５に拡大して示したように、第２ガイド部材２００は、キャビネット８の左右両側板２４の前端下部に配設されている。第２ガイド部材２００は、本体２の側板５の外側面に接触可能に突出するガイド部２０１と、ガイド部２０１の一側端から下方に延設されたガイド部２０１の厚みより薄い固定部２０２とを備え、固定部２０２においてビス２０３などの固着具により固定されている。第２ガイド部材２００も、断面略Ｌ字形形状を有している。
【００１６】
このような第１ガイド部材１００が本体２の後端部に配設され、第２ガイド部材２００がキャビネット８の収納部１２の前端部に配設されているため、踏み台兼収納庫１をキャビネット８の収納部１２から引き出し、収納する際には、第１ガイド部材１００のガイド部１０１がキャビネット８の側板２４の内側面に接触し、また、第２ガイド部材２００のガイド部２０１が本体２の側板５の外側面に接触することにより、踏み台兼収納庫１は、左右にがたつくことなく、ほぼまっすぐにキャビネット８の収納部１２から前方に引き出し、また、後方に押し戻して納めることができる。スライドレールを備えていなくとも、ガタつきの少ないスムーズな引き出しと収納とが、簡略化された構造により容易に実現され、操作性に優れる。
【００１７】
なお、第１ガイド部材１００のガイド部１０１、第２ガイド部材２００のガイド部２０１は、上記の通り、キャビネット８の側板２４の内側面、本体２の側板５の外側面にそれぞれ接触するため、接触にともなう側板２４の内側面および側板５の外側面の摩耗を軽減しつつ、踏み台兼収納庫１の引き出しおよび収納をガイドすることのできる適宜な材質のものから形成されることが好ましい。
【００１８】
また、本発明の踏み台兼収納庫では、第１ガイド部材および第２ガイド部材は、必ずしも左右一対として配設される必要はなく、本体の大きさなどに応じて各一つを配設するだけでも十分な場合もある。ただし、この場合、第１ガイド部材と第２ガイド部材とを平面視において対角位置に配置すると、踏み台兼収納庫の左右のガタつきを良好に抑制することができる。また、第１ガイド部材および第２ガイド部材の配置位置は、踏み台兼収納庫における他の付設部材などの配置位置との関係から適所に定めることができる。
【００１９】
さらに、踏み台兼収納庫１には、キャビネット８の前方に引き出し、踏み板１１の上に乗ってキャビネット８の上部から物品を取り出し、収納する際に、踏み台兼収納庫１が安定して床面１０上に配置されるようにロック機構が設けられ、ロック機構として、ロックバー１４およびストッパー１５から構成される簡易なものが採用されている。
【００２０】
図６＜ａ＞＜ｂ＞＜ｃ＞は、それぞれ、ロックバーを拡大して示した正面図、平面図、＜ａ＞図中のＡ−Ａ断面図である。
【００２１】
ロックバー１４は、下端に前方から後方に向かって斜め下方に傾斜する下り面１６を有し、後端部下部に、斜め前方にやや傾斜し、前後に並置された２つの切欠１７ａ、１７ｂを有している。切欠１７ａ、１７ｂは、ともに、ロックバー１４の後端部下端から上方に向かって形成されている。ロックバー１４には、前方に位置する切欠１７ａの前方から前端にかけて、ロックバー１４の外形にほぼ一致する形状を有する保護キャップ１８が装着されている。
【００２２】
このようなロックバー１４は、後端部において固定プレート１９に連結ピン２０によって回転自在に配設されている。固定プレート１９は、図１および図４に示したように、踏み台兼収納庫１の本体２の後端部において側板５にビスなどの固着具によって固定される。固定位置は、第１ガイド部材１００と干渉しない異なる位置とされ、第１ガイド部材１００の下側とされている。こうして、踏み台兼収納庫１においてロックバー１４は、本体２の後端部の外側方に上下に回動自在に配設されている。図２に示したように、ロックバー１４は、本体２の左右両側板５にそれぞれ配設されている。そして、ロックバー１４には、図６＜ａ＞＜ｂ＞に示したように、保護キャップ１８の真後ろの上端部に連結片２１が固定プレート１９側に突設され、図２および図４に示したように、本体２の左右両側板５にそれぞれ配設された２つのロックバー１４は、連結片２１においてビスなどの固着具により固定される連結バー２２によって連結されている。このような連結バー２２の架け渡しによるロックバー１４の連結を実現し、また、ロックバー１４の上下の回動が自在となるように、本体２には、図１および図４に示したように、左右両側板５の後端上部に円形でやや大きめの開口２３が形成されている。開口２３は、連結バー２２の配設にともなう本体２の収納空間からの物品の取り出し、収納を阻害することのないように、背板４の後方に配置されている。開口２３は矩形形状のものであってもよい。
【００２３】
ストッパー１５は、キャビネット８の収納部１２の内側部に配設されている。具体的には、図５に示したように、ストッパー１５は、ダボ状のものであり、キャビネット８の左右両側板２４の内側面部にそれぞれ配設され、収納部１２において内方に突出している。ストッパー１５の配置位置は、図１に示したように、踏み台兼収納庫１の引き出し位置に対応し、しかも、ロックバー１４の切欠１７ａ、１７ｂに嵌合可能な位置とされている。また、ストッパー１５の配置位置は、第２ガイド部材２００に干渉しない異なる位置とされ、第２ガイド部材２００より若干後方の上側とされている。
【００２４】
ロックバー１４およびストッパー１５から構成されるロック機構は、図７＜ａ＞＜ｂ＞＜ｃ＞に示したように作動する。
【００２５】
図７＜ａ＞に示したように、踏み台兼収納庫１がキャビネット８の収納部１２に納められているときは、互いに離れて位置し、この状態はロック機構の非作動時に相当し、踏み台兼収納庫１は、前後の移動が自在とされている。なお、ロックバー１４は、自重によって前端がストッパー１５より下側に前傾しないように保持されている。たとえば、ロックバー１４の前端部をばねなどの弾性体による弾性力の付与などにより、保持することができる。
【００２６】
踏み台兼収納庫１を引き出すと、ロックバー１４がストッパー１５に接近し、図７＜ｂ＞に示したように、ストッパー１５は、ロックバー１４の前端側の下り面１６に接触し、踏み台兼収納庫１の引き出しにつれてロックバー１４を連結ピン２０を回動の中心として押し上げる。このときのロックバー１４の上方回動は、下り面１６、さらに保護キャップ１８の装着によってスムーズに行われ、また、保護キャップ１８は、ロックバー１４とストッパー１５との接触による摩擦音を軽減させ、音鳴りを抑制する。
【００２７】
踏み台兼収納庫１の引き出し位置では、図７＜ｃ＞に示したように、ロックバー１４の下部に有する前後の切欠１７ａ、１７ｂのいずれか一方の下方にストッパー１５が位置するため、ロックバー１４は自重により下方に回動し、たとえば、切欠１７ａにストッパー１５が嵌り込む。この状態がロック機構の作動時であり、踏み台兼収納庫１は、引き出し位置にロックされ、ロック状態に保持される。ロック状態では、図１に示したように、キャスター７が床面１０上に位置していても前後左右に移動することはなく、不動状態となる。したがって、踏み板１１を閉じ、その上に乗って踏み台兼収納庫１を踏み台として使用することができる。
【００２８】
このように、踏み台兼収納庫１は、ロックバー１４およびストッパー１５から構成される簡易なロック機構を採用しており、簡易なロック機構であっても、踏み台兼収納庫１を引き出し位置において確実にロックし、ロック状態に保持することができ、踏み台として使用するときの踏み台兼収納庫１のロック状態の保持を容易に実現することができる。また、ロックのために人手による操作は要しない。ロック機構は自動的に作動する。
【００２９】
踏み台として使用後、踏み台兼収納庫１をキャビネット８の収納部１２に納める際には、図２に示したように、連結バー２２を上方に持ち上げ、図７＜ｄ＞に示したように、ロックバー１４を上方に回動させ、切欠１７ａからストッパー１５を抜き外す。ロックが解除される。踏み台兼収納庫１は、本体２の前面部を後方に押し込むことにより後方へ移動し、キャビネット８の収納部１２に納めることができる。このように、本体２の左右両側板５に配設された２つのロックバー１４は、連結バー２２によって連結されているので、２つのロックバー１４を個別にではなく、同時に連動させてロック解除することができ、ロック解除が容易であり、連結バー２２の操作は片手でも可能である。本体２の左右両側板５とキャビネット８の左右両側板２４とが接近しているような場合では、特に連結バー２２によるロック解除は有効であり、ロック解除のために手を挟み込むなどの危険性はなく、子供やお年寄りなどに操作容易となる。
【００３０】
また、ロックバー１４は、切欠１７ａ、１７ｂを２つ有しているため、踏み台兼収納庫１の引き出し長さに応じていずれか一方の切欠１７ａ、１７ｂにストッパー１５を嵌め込むことができる。前側に位置する切欠１７ａにストッパー１５は優先的にはまり込むが、さらに踏み台兼収納庫１を引き出したい場合には、連結バー２２を上方に持ち上げ、ロック解除した後、踏み台兼収納庫１をさらに引き出し、後側の切欠１７ｂにストッパー１５を嵌め込ませ、踏み台兼収納庫１をロックする。踏み台兼収納庫１の引き出し位置の調整を行うことができ、位置調整は容易に行うことができる。ロックバー１４において切欠は切欠１７ａ、１７ｂの２つに限られず、本体２の大きさなどに応じて適宜増やすことができる。
【００３１】
なお、本発明の踏み台兼収納庫は、大きさなどによってロックバーを本体の左右いずれか一方の外側方にのみ配設することもでき、左右両側に配設する場合と遜色のないロック状態の保持を実現することができる。ロック解除する際には、ロックバーを直接操作しなければならないが、保護キャップの装着によってロック解除操作時に手を挟み込むなどの危険性を解消することができる。
【図面の簡単な説明】
【００３２】
【図１】本発明の踏み台兼収納庫の一実施形態をキャビネットとともに示した側面図である。
【図２】図１に示した踏み台兼収納庫の正面図である。
【図３】図１に示した踏み台兼収納庫の平面図である。
【図４】図１に示した踏み台兼収納庫の後端部を示した要部斜視図である。
【図５】図１に示したキャビネットの収納部の前端部を拡大して示した要部斜視図である。
【図６】＜ａ＞＜ｂ＞＜ｃ＞は、それぞれ、ロックバーを拡大して示した正面図、平面図、＜ａ＞図中のＡ−Ａ断面図である。
【図７】＜ａ＞＜ｂ＞＜ｃ＞＜ｄ＞は、それぞれ、ロックバーとストッパーとから構成されるロック機構の作動およびロック解除操作を示した要部行程側面図である。
【符号の説明】
【００３３】
１  踏み台兼収納庫
２  本体
７  キャスター
８  キャビネット
１１  踏み板
１２  収納部
１４  ロックバー
１５  ストッパー
１７ａ、１７ｂ  切欠
１００  第１ガイド部材
２００  第２ガイド部材
【図１】
0005069990.tif 000002
【図２】
0005069990.tif 000003
【図３】
0005069990.tif 000004
【図４】
0005069990.tif 000005
【図５】
0005069990.tif 000006
【図６】
0005069990.tif 000007
【図７】
0005069990.tif 000008